(57)【特許請求の範囲】
【請求項１】
印刷用プラットフォームであって、
個別のマーキングモジュールのいずれのモジュールの画像形成可能領域よりも幅広である総画像形成可能領域を形成するために、
処理方向に対して直交する方向にずらされた２つ以上のマーキングモジュールを、
有し、
それぞれのマーキングモジュールは、それぞれ光受容体と、光受容体の露光表面に帯電トナー粒子を転写する現像要素とを含み、さらに、少なくとも２つのマーキングモジュールの個別の幅のほぼ総計を最大とする幅を有する画像を形成するため、前記２つ以上のマーキングモジュールのそれぞれによってマーキングされる中間転写要素を備え、前記中間転写要素に位置づけられた１つ以上の見当合わせマークによって、前記画像の２つ以上の部分を前記中間転写要素上に整列させており、前記２つ以上のマーキングモジュールは、処理方向に沿ってずれて配置されており、前記画像の２つ以上の部分の前記中間転写要素上での整列は、処理方向下流側のマーキングモジュールを機械的に移動させることにより達成する印刷用プラットフォーム。
【発明の詳細な説明】
【技術分野】
【０００１】
本発明は、印刷用プラットフォームと幅広媒体印刷を容易にするための方法に関する。なお、本明細書に示す各実施形態は、マルチマーキングモジュール、幅広媒体印刷用プラットフォームに関する。これらの各実施形態は、特に、異なるマーキングモジュールによって作られた画像を組み合わせることで、各マーキングモジュールに対する印刷幅性能を向上させる構成体に適用できる。
【背景技術】
【０００２】
従来の電子写真では、静電潜像を光導電絶縁体（例えば、光受容体）の表面に形成し、その後、最終的な受容基礎媒体または媒体に転写する。これは一般的に以下を含む。つまり、均一な静電荷で光受容体表面上を、例えばコロナ放電によって、帯電させる。次に、この光受容体を（光学素子、レーザー、ＬＥＤ等を介して）、作成対象の像と共に露光する。この露光によって露光領域の面電荷が選択的に消失され、静電荷パターンとして潜像が形成される。この画像は、静電帯電したトナー粒子を光受容体表面に転写することによって現像される。
【０００３】
静電帯電したトナー粒子は帯電（非露光）領域に引き寄せられるか、この領域からはじき飛ばされて放電（露光）領域上に付着する。次に、このトナー粒子を光導電体から転写要素（例えば、転写ベルトまたはドラム）に移し、その後、受容基礎媒体に転写する。転写された画像は、圧力、熱、放射能、溶剤、またはこれらの幾つかの組み合わせ等を含む多様な技術によって永続的なものにされる。多色電子写真処理では、異なる色に対応する潜像が１つ以上の光受容体上に形成され、それぞれのトナーによって現像される。１色のトナー画像の各々が基礎媒体または中間受容体に転写され、先にあるトナー画像に重ね合わせて見当合わせすることで多色画像を形成する。
【０００４】
従来のマーキングモジュールでは、光受容体の表面をマーキングするために用いる部品の幅を、光受容体の幅に合わせている。これによって、実務的に印刷できる最大基礎媒体幅が決まっている。事務所用の機械に見られる一般的なマーキングエンジンの幅は約３０．４８ｃｍ（約１２インチ）である。これはレターサイズ（２１．５９ｃｍｘ２７．９４ｃｍ）（８．５インチｘ１１インチ）用紙に画像を形成するために用いられる。しかし、マーキングエンジンは、これ以外の多様な幅（例えば、６０．９６ｃｍ（２４インチ）、９１．４４ｃｍ（３６インチ）以上）でも製造される。
なお、本発明に関連する先行技術文献として、特許文献１から特許文献４がある。
【０００５】
【特許文献１】米国特許第４５７９４４６号明細書
【特許文献２】米国特許第４５８７５３２号明細書
【特許文献３】米国特許出願公開第２００４／０２２５３９４号明細書
【特許文献４】米国特許出願公開第２００４／０２４７３６５号明細書
【発明の開示】
【発明が解決しようとする課題】
【０００６】
マーキングエンジン幅が広くなる結果として、費用が増す。したがって一般的には、使用されるマーケット区分において用いられる基礎媒体寸法必要条件によって規定される寸法幅よりも、広くないマーキングエンジンを作ることが、より効率的である。これらの使用条件はマーケット区分によって顕著に異なる可能性がある。例えば、通常の事務所では、レターサイズ（２７．９４ｃｍ（１１インチ）幅）をサポートする処理幅が一般的であり、これで十分である。一方、製造過程に適用する場合には、６６．０４ｃｍ（２６インチ）以上の処理幅が要求される可能性がある。こうなると費用が増すことに加え、マーキングエンジン幅が広くなることで、幅方向に亘る画像の均質性が劣化するかもしれないし、部品の信頼性（例えば、より長いコロトロンワイヤ）も損なわれるかもしれない。更に、異なる幅を有する多様なマーキングエンジンを製造することは、部品の共通化を妥協することである。これにより、所有コストの増加につながる可能性がある。
【課題を解決するための手段】
【０００７】
本発明に係る印刷用プラットフォームは、個別のマーキングモジュールのいずれのモジュールの画像形成可能領域よりも幅広である総画像形成可能領域を形成するために、処理方向に対して直交する方向にずらされた２つ以上のマーキングモジュールを、有し、それぞれのマーキングモジュールは、それぞれ光受容体と、光受容体の露光表面に帯電トナー粒子を転写する現像要素とを含み、さらに、少なくとも２つのマーキングモジュールの個別の幅のほぼ総計を最大とする幅を有する画像を形成するため、前記２つ以上のマーキングモジュールのそれぞれによってマーキングされる中間転写要素を備え、前記中間転写要素に位置づけられた１つ以上の見当合わせマークによって、前記画像の２つ以上の部分を前記中間転写要素上に整列させており、前記２つ以上のマーキングモジュールは、処理方向に沿ってずれて配置されており、前記画像の２つ以上の部分の前記中間転写要素上での整列は、処理方向下流側のマーキングモジュールを機械的に移動させることにより達成する印刷用プラットフォームである。
【発明を実施するための最良の形態】
【０００８】
一実施形態では、説明する印刷用プラットフォームは２つ以上のマーキングモジュールを有しており、これらのマーキングモジュールは、処理方向に対して直交する方向にずらされ、個別のマーキングモジュールのいずれのモジュールの画像形成可能領域よりも広い幅を有する総画像形成可能領域を作り上げる。図１を参照しながら、幅広画像を形成するマルチマーキングモジュール印刷用プラットフォーム２（以後「印刷用プラットフォーム」とする。）について説明する。印刷用プラットフォーム２は、少なくとも２つのマーキング体４を有する。これらのマーキング体４は（相互の重なりの有無に拘わらず）印刷用プラットフォーム２内で、受容要素の幅方向に対して平行な方向であって処理方向に対して直交する方向に千鳥配置されている。これらマーキング体４の中の任意または全てのマーキング体４を個別で、および／または組み合わせて用いることで、受容要素上に、像の少なくとも一部をマーキングすることができる。この受容要素は、このマーキング体４のうちの任意の１つのマーキング体４によってマーキングされる画像よりも幅が広くてもよい。
【０００９】
マーキング体４は、単色電子写真エンジン、多色プリントエンジン、および／または特定の電子写真処理要素であってもよい。適切な単色電子写真エンジンは、受容要素上に画像をマーキングする処理を容易にする個別の電子写真処理要素を有してもよい。これらの要素とは、例えば露光要素、荷電要素、現像要素、光受容体等である。適切な多色電子写真エンジンは、異なるように着色された画像を重ね合わせるか、組み合わせることによって多色画像を形成する電子写真処理要素を有してもよい。これらの要素とは、例えば露光要素、荷電要素、現像要素、光受容体、選択的に１つ以上の中間転写要素（ベルトまたはドラム）等である。同様に、多色電子写真エンジンは、画像を１つ以上の受容要素上にマーキングする処理を容易にする。
【００１０】
同寸法である２つの単色および／または多色のマーキングエンジンが受容要素の幅方向に互いに平行であって処理方向に対して直交する方向に配置されるデュアルマーキングエンジン構成体を用いて、複数のマーキングエンジンのうちの任意の１つのマーキングエンジンの幅の約２倍の幅を有する画像を作ることができる。別の非制限的な例では、単色および／または多色のＮ−マーキングエンジン印刷用プラットフォーム（ここで、Ｎは１より大きな整数）は、最大でＮ個のマーキングエンジンの幅のほぼ合計までの幅を有する画像をマーキングすることができる。それぞれが同幅であるマーキングエンジンであれば、得られた画像の幅は任意の１つのマーキングエンジンの幅の約Ｎ倍になるだろう。
【００１１】
個別の電子写真処理要素を有するマーキング体４の構成の例は、少なくとも１の露光要素、荷電要素、および／または現像要素の２つ以上の要素を有する。例えば、２つ以上の荷電要素を用いて１つの光受容体の異なる部分に電荷で帯電させてもよい。これによって画像形成可能な全幅に対応する。更にこれに代えて、またはこれとともに、２つ以上の露光要素を用いて１つの光受容体の異なる部分を露光することができる。更にこれに代えて、またはこれとともに、２つ以上の現像要素を用いて、帯電したトナー粒子を１つの光受容体表面の異なる複数の部分に転写できる。その後、このトナー粒子を１つの光導電体から１つ以上の受容要素および／または最終的な基礎媒体に転写できる。
【００１２】
マーキング体４は、典型的な寸法のマーキングエンジンおよび／または電子写真処理要素を備えることができる。したがって印刷用プラットフォーム２は、容易に入手可能であって比較的安価な複数のマーキング体を用いることで、より幅広のマーキングモジュールを使う必要なく、多様な幅の基礎媒体への印刷をサポートすることができる。これにより、部品の共通化や再利用を容易にする。この結果、所有コストを軽減でき、少量で、および／または特注幅である、幅広マーキングモジュールの製造を少なくできる。更に、より幅広のマーキングモジュールに関して、幅方向における画像均質性を向上できる。
【００１３】
印刷用プラットフォーム２は、画像形成対象のデータをデータ供給部６から受け取り、基礎媒体を基礎媒体供給部８（例えば、１つ以上のトレイ）から受け取ることができる。データ供給部６および／または基礎媒体供給部８は、印刷用プラットフォーム２および／または印刷用プラットフォーム２の一部に（図示のように）連結されている別個の部品でもよい。データ供給部６から受信した画像データは、マーキング体４を介して、基礎媒体供給部８から受け取った基礎媒体の上に再生され、複数のマーキング体４のうちの任意の１つによってマーキングされる画像よりも幅広の画像を形成する。
【００１４】
図２は、受容要素１０に対して多数のマーキングモジュールを千鳥配置する例示的な技術を示す。表示されたモジュールは、複数のマーキングモジュール１２、１４、１６、１８、および２０であって、その各々は対応する幅２２、２４、２６、２８、および３０と関連する。マーキングモジュール１２〜２０を用いて、マーキングモジュール１２〜２０のうちの任意の１つによってマーキングされた画像よりも幅広である受容要素上に画像を形成することができる。例えば、得られた画像は幅２２〜３０の総計と同じ幅とすることができる。
【００１５】
隣接するマーキングモジュール（例えば、マーキングモジュール１２およびマーキングモジュール１４）は、媒体幅方向３２に互いに平行であって処理方向３４に対して直交する方向にずらせた（オフセットした）状態で、千鳥配置することができる。更に、隣接するマーキングモジュールを、幅方向３２において３７で示すように重なり合うように整列させることができる。これに代えて、またはこれとともに、隣接するマーキングモジュールを重ならないようにすることもできる（図示せず）。このようにマーキングモジュール１２〜２０を千鳥配置することで、さらに幅広のマーキングモジュールを使用する必要なく、より幅広の画像を形成することができる。したがって、特注幅のマーキングエンジンおよび／または電子写真処理要素を作るのではなく、既存のマーキングエンジンおよび／またはその他の電子写真処理要素を組み合わせたり、再利用することができる。例えば、既存の３０．４８ｃｍ（１２インチ）マーキングエンジンを組み合わせて、約６０．９６ｃｍ（２４インチ）、９１．４４ｃｍ（３６インチ）等の媒体の幅に対応するプラットフォームを作りながら、多数のマーケットにおいて高い割合で再使用し、これによって低機械製品取得出費（machine Product Acquisition Spending）（ＰＡＳ）、低単位製造原価（Unit Manufacturing Cost）（ＵＭＣ）、および向上した価値の連鎖を維持することができる。
【００１６】
受容要素１０上には、画像見当合わせマークを配置できる。このようなマークは、タンデムデザインカラー見当合わせに用いる見当合わせマークに似ていてもよい。インターフェースにおいて画像をステッチング（継ぎ合わせ）することは、周知の技術によって実現できる。
【００１７】
多色マーキングエンジンでは、モジュール１２〜２０を全色の組でずらせる（オフセットする）ことができる。また、色ごとに千鳥配置することもできる。このように千鳥配置することで、任意の所定の色の組み合わせを受容要素１０上に処理する距離および時間が最小になる。これにより、所定の色による２つ以上の画像を正確で相対的な見当合わせする処理が容易になる可能性がある。この千鳥配置技術により、媒体幅方向３２に関する幅の大部分に亘ってマーキングモジュール１２〜２０を縦並びに配置して、いずれの（任意の）個別マーキングモジュールよりも広い幅を有する画像を形成することができる。
【００１８】
図３〜図６は、幅広画像を作成するデュアルマーキングエンジン印刷用プラットフォーム構成体を示す。ただし、これらの例が上記マルチマーキングモジュール印刷用プラットフォーム2の事例を制限するものではないことは理解されるだろう。明確かつ簡潔な方法で例示するために、マーキングモジュールが２つだけある場合を説明する。したがって、多様な他の実施形態では、２つ以上のマーキングエンジンおよび／または多数の電子写真処理用を用いて、本明細書で説明したように幅広画像を形成できることが理解されるだろう。
【００１９】
最初に図３を参照する。ここでは、中間転写要素を介して幅広画像を形成するデュアルマーキングエンジン印刷構成体が図示されている。この例では、第１のマーキングエンジン３６は、複数の要素の集まりであり、少なくとも第１の現像要素３８と、第１の光受容体４０とを有する。第１の現像要素３８によって、帯電したトナー粒子を光受容体４０の露光面に転写する処理を容易にする。通常、均一な静電荷でコロナ放電によって光受容体４０の表面が帯電される。続いて、この光受容体４０を、光学素子、レーザー、ＬＥＤ等を介して、作成対象の像と共に露光する。この露光処理によって露光領域の面電荷が選択的に消失され、静電荷パターンとしての像（潜像）が作られる。この像は、帯電したトナー粒子を光受容体４０の表面に転写することによって現像される。第２のマーキングエンジン４２は、複数の要素の集まりであり、少なくとも第２の現像要素４４および第２の光受容体４６に関連する。同様に、第２の現像要素４４は、帯電したトナー粒子を光受容体４６の露光面に転写する処理を容易にする。
【００２０】
マーキングエンジン３６および４２は、中間転写要素（ＩＴＥ）４８の幅方向において互いに平行であり、かつ処理方向に対して直交する方向にずらせる（オフセットする）ように位置決めする。選択的に、マーキングエンジン３６および４２を、処理方向に少し重なり合うように互いに整列させる。ただし、マーキングエンジン３６および４２を処理方向に重なり合うことなく互いに整列させることもできる。画像見当合わせマークを中間転写要素４８上に配置できる。中間転写要素４８が上記の受容要素１０に類似する受容要素であることは理解されるだろう。
【００２１】
光受容体４０および４６は中間転写要素４８に隣接するように図示されている。中間転写要素４８は１つの転写ベルトまたはドラムでもよい。マーキングエンジン３６および４２を利用して、画像を中間転写要素４８上に形成し、その後、この画像を最終的な基礎媒体５０に転写する。最終的な基礎媒体５０は紙や被膜等でもよい。この構成体により、見当合わせマークを中間転写要素４８上に書き込み、検知することができる。これにより、色を媒体の幅に亘って整列させる処理を正確に制御することが容易になる。これは、全色を一度および／または色毎にずらせる（オフセットする）ことを含む。整列は、電子的画像移動（shifting）および／または下流エンジンの機械的な並進（mechanical translation）等の組み合わせといったアクチュエータによって行うことができる。
【００２２】
図４を参照する。ここでは、デュアルマーキングエンジン印刷構成体の代替実施形態が図示されている。この例では、画像を、中間転写要素（ベルトおよび／またはドラム）に転写してから基礎媒体５０に転写するのではなく、基礎媒体５０を受容要素（例えば、上述のような受容要素１０）として用いて、画像を第１および第２の光受容体４０および４６から直接基礎媒体５０に転写する。
【００２３】
図５を参照する。ここでは、デュアルマーキングエンジン印刷構成体の別の代替実施形態が図示されている。この実施形態では、マーキングエンジン３６および４２の各々は自身の中間転写要素５２および５４をそれぞれ内蔵している。中間転写要素５２および５４の各々にマーキングされた画像を共通の中間転写要素４８に転写し、選択的にこの上で組み合わせる。その後、この画像を中間転写要素４８から基礎媒体５０に転写する。
【００２４】
図６を参照する。ここでは、別の代替実施形態が図示されている。上述の例のように、マーキングエンジン３６は中間転写要素５２を有し、マーキングエンジン４２は中間転写要素５４を有している。中間転写要素５２および５４の各々にマーキングされた画像は媒体５０に直接転写され、この上で組み合わされる。
【００２５】
図７は、多数の電子写真処理要素を用いて幅広画像を形成する実施形態を図示する。上述のように、適切な実施形態は、電荷で１つの光受容体表面を帯電する２つ以上の荷電要素と、１つの光受容体表面の部分を露光する２つ以上の露光要素と、および／または帯電したトナー粒子を１つの光受容体表面に転写する２つ以上の現像要素と、を有する。この例では、２つの現像要素３８および４４によって、帯電したトナー粒子を１つの光受容体５６に転写する非制限的な例を示す。光受容体５６は画像全幅に対応する。光受容体５６上の画像を媒体５０に転写する。この例では、光受容体５６は受容要素である。
【００２６】
図８は、幅広多色プリントを形成するための単色エンジンを連続して千鳥配置した様子を示す。上述のように、多数のマーキングモジュールであるカラーモジュール５８、６０、６２、６４、６６、６８、７０、および７２が受容要素１０上に、媒体幅方向３２に平行で、かつ処理方向３４に対して直交する方向にずらした状態で、千鳥配置されている。この例では、カラーモジュール５８および６０はシアンモジュールであり、カラーモジュール６２および６４はマゼンタモジュールであり、カラーモジュール６６および６８は黄モジュールであり、カラーモジュール７０および７２は黒モジュールである。この例は、例示目的のために示されたのであって、これより多いまたは少ない色、および／または多いまたは少ないモジュールを、本発明の多様な実施形態において用いることができることが理解されるだろう。更に、モジュール５８〜７２の順番は任意であり、他の実施形態において同様におよび／または異ならせることができる。
【００２７】
同様のカラーマーキングモジュール（例えば、カラーモジュール５８およびカラーモジュール６０）を、媒体幅方向３２において互いに平行であり、かつ処理方向３４に対して直交する方向にずらした状態で、千鳥配置することができる。代替例では、カラーモジュール５８〜７２を色ごとに千鳥配置することができる。これによって、任意の所定の色の組み合わせを受容要素１０の上に処理する距離および時間が最小になる。更に、隣接するマーキングモジュールを、３７で示すように、処理方向３４において重なり合わせて整列させることができる。これとともに、またはこれに代えて、重ならないようにすることもできる（図示せず）。タンデムデザインカラー見当合わせに適用した見当合わせマークに似たマーク等といった画像見当合わせマークを受容要素１０上に配置することができる。マーキングモジュールをこのように千鳥配置することで、さらに幅広のマーキングモジュールを用いる必要なく、より幅広の画像を形成することができる。上述のように、受容要素１０は、例えば、ドラムおよび／またはベルトのような１つ以上の中間転写要素でもよく、または最終的な基礎媒体でもよい。
【００２８】
図９は、幅広媒体印刷を容易にするための方法を図示する。参照番号７４において、印刷用プラットフォームを、少なくとも２つのマーキングモジュールを有するように構成する。マーキングモジュールは単色マーキングエンジン、多色マーキングエンジン、および／または多数の電子写真処理要素でもよいことが理解されるだろう。７６では、少なくとも２つのマーキングモジュールを受容要素幅方向に平行にずらせた状態で千鳥配置する。選択的に、少なくとも２つのマーキングモジュールを、隣接するマーキングモジュール同士が重なり合うように、千鳥配置する。７８では、少なくとも２つのマーキングモジュールを処理方向に直交する方向に位置決めする。
【００２９】
８０では、少なくとも２つのマーキングモジュールを用いて基礎媒体上に画像を形成する。ここでは、この画像の幅は、複数のマーキングモジュールのうちの任意の１つによって形成される画像の幅よりも大きい。多様なアプローチを用いて画像を基礎媒体に転写することができる。例えば一例では、各マーキングモジュールは対応する光受容体に関連しており、各光受容体を用いて画像の一部を共通の中間転写要素（例えば、ベルトやドラム）に転写し、その後、この部分を最終的な基礎媒体に転写する。別の例では、各マーキングモジュールは対応する光受容体に関連しており、各光受容体を用いて画像の一部を最終的な基礎媒体に直接転写する。
【００３０】
更に別の例では、各マーキングモジュールは対応する光受容体に関連しており、各光受容体は対応する中間転写要素（例えば、ベルトやドラム）に関連している。最初に画像を各光受容体から各中間転写要素に転写し、次に、この画像を各中間転写要素から共通の中間転写要素（例えば、ベルトやドラム）に転写する。その後、この画像を最終的な基礎媒体に転写する。更に別の例では、各マーキングモジュールは対応する光受容体に関連しており、各光受容体は対応する中間転写要素（例えば、ベルトやドラム）に関連している。画像を各光受容体から最終的な基礎媒体に直接転写する。
【００３１】
あるいは、印刷用プラットフォームを、上述のような電子写真処理要素の多様な組み合わせを有するように構成することができる。例えば、２つ以上の荷電要素を用いて、１つの光受容体の異なる複数の部分を電荷で帯電させてもよい。これは、画像形成が可能である全幅に対応する。さらに、２つ以上の露光要素を用いて１つの光受容体の異なる複数の部分を露光できる。これとともに、またはこれに代えて、２つ以上の現像要素を用いて、帯電したトナー粒子を１つの光受容体表面の異なる複数の部分に転写できる。その後、このトナー粒子を最終的な基礎媒体に転写して、幅広画像を表現する。
【図面の簡単な説明】
【００３２】
【図１】個別のマーキングモジュールの任意の１つよりも幅広の画像を形成するためのマルチマーキングモジュール印刷用プラットフォームを示す図である。
【図２】受容要素に対して２つ以上のマーキングモジュールを千鳥配置する例示的な技術を示す図である。
【図３】中間転写要素を介して幅広画像を形成するためのデュアルマーキングエンジン印刷構成体を示す図である。
【図４】幅広画像を基礎媒体上に直接形成するためのデュアルマーキングエンジン印刷構成体を示す図である。
【図５】各マーキングエンジンがそれ自身の中間転写要素を内蔵したデュアルマーキングエンジン印刷構成体であって、この中間転写要素を用いて幅広画像の一部を共通の中間転写要素に移し、更にこの画像を最終的な基礎媒体に転写するために用いられるデュアルマーキングエンジン印刷構成体を示す図である。
【図６】各マーキングエンジンが中間転写要素を有し、各中間転写要素上にある画像を最終的な基礎媒体に直接転写するデュアルマーキングエンジン印刷構成体を示す図である。
【図７】各現像要素によって共通の光受容体上の画像の一部を現像し、得られた画像を最終的な基礎媒体に転写するデュアル現像印刷構成体を示す図である。
【図８】幅広多色プリントを作成する単色エンジンが千鳥配置された様子を示す図である。
【図９】個別のマーキングモジュールの任意の１つよりも幅広な画像を形成するマルチマーキングモジュール印刷用プラットフォームを用いて幅広媒体印刷を容易にするための方法を示す図である。
【符号の説明】
【００３３】
２  マーキングモジュール、４  マーキング体、６  データ供給部、８  基礎媒体供給部、１０  受容要素、１２，１４，１６，１８，２０  マーキングモジュール、３２  媒体幅方向、３４  処理方向、３６  第１のマーキングエンジン、３７  重なり範囲、３８，４４  現像要素、４０，４６，５６  光受容体、４２  第２のマーキングエンジン、４８，５２，５４  中間転写要素、５０  基礎媒体、５８，６０，６２，６４，６６，６８，７０，７２  カラーモジュール。
【図１】
0004642720.tif 000002
【図２】
0004642720.tif 000003
【図３】
0004642720.tif 000004
【図４】
0004642720.tif 000005
【図５】
0004642720.tif 000006
【図６】
0004642720.tif 000007
【図７】
0004642720.tif 000008
【図８】
0004642720.tif 000009
【図９】
0004642720.tif 000010